(57)【特許請求の範囲】
【請求項１】
内部に画像形成処理を行う画像形成部が設けられる下部フレームと、この下部フレームの頂部に積み重ねられた状態で装着される中間フレームと、この中間フレームに支持された、原稿画像を光学的に読み取るための画像読取部が設けられてなる上部フレームとを有する装置本体が備えられ、
前記中間フレームは、
前記下部フレームに積み重ねられて固定される底板と、
前記底板に配置され、上面に前記画像形成部でトナー画像が転写されて排出された転写材を受ける排出トレイと、
前記底板から上方に向かって立設され、前記装置本体の側壁部位の一部を構成する一対の側部壁と前記一対の側部壁の後縁部間に架設された後部壁とからなり、前方位置に隙間が確保された状態で前記排出トレイを囲繞する囲い壁と、
前記後部壁に開口され、前記画像形成部から排出された前記転写材を前記排出トレイに排出させる排紙口と、を有し、
前記側部壁には、前記装置本体を持ち上げて運ぶための少なくとも一対の取っ手が設けられ、
前記上部フレームは、前記囲い壁の前記一対の側部壁の上端部および前記後部壁の上端部によって支持されていることを特徴とする画像形成装置。
【請求項２】
前記取っ手は、前記中間フレームの壁面の一部が凹没されることによって形成された凹部または同一部が穿設されることによって形成された開口によって形成されていることを特徴とする請求項１記載の画像形成装置。
【請求項３】
前記一対の側部壁の前縁部において、互いに対向方向へ寄るように配設された一対の門柱部を更に有することを特徴とする請求項１または２に記載の画像形成装置。
【請求項４】
前記中間フレームにおける前記取っ手が設けられた位置の近傍には、補強用のリブが設けられていることを特徴とする請求項１乃至３のいずれかに記載の画像形成装置。
【請求項５】
前記中間フレームの対向側面は、前記装置本体の全高の半分よりも高い位置にあることを特徴とする請求項１乃至４のいずれかに記載の画像形成装置。
【発明の詳細な説明】
【技術分野】
【０００１】
本発明は、装置本体に運搬用の取っ手が設けられてなる画像形成装置に関するものである。
【背景技術】
【０００２】
従来、特許文献１に記載されているような装置本体に運搬用の取っ手が設けられてなる画像形成装置が知られている。この画像形成装置は、用紙に画像形成処理を施す画像形成部が内装された装置本体部と、原稿からその画像を読み取るべくこの装置本体に積み重ねられた原稿処理部と、これら装置本体部と原稿処理部との間に介設された転写処理済みの用紙を受けるための胴内排紙部とを備えている。そして、前記取っ手は、棒体によって形成され、直方体状を呈した装置本体部のフレーム（以下、本体フレームという）の上部の４つの角部にそれぞれ出没自在に装着されている。
【０００３】
そして、かかる取っ手は、普段、本体フレーム内に没入されているが、画像形成装置を移動させるときには、本体フレームから引き出される。そして、この引き出された取っ手を把持して画像形成装置を運ぶことが行われる。
【０００４】
ところで、近年、画像形成装置のコンパクト化が進み、一人で抱えて持ち運ぶことができるようなサイズのものも出現している。このような小型の画像形成装置がフロア上に直置きされているような場合、取っ手の位置が可能な限り上方に位置している方が、腰を屈めなくてもよい分楽に運ぶことができ好ましい。このような観点で特許文献１の画像形成装置を見た場合、取っ手が本体フレームの最上部に設けられているため、それより下位に取っ手が向けられている場合に比較し運び易いのは確かであるが、装置本体のサイズによっては、これよりさらに上方に設けられる方が好ましい場合もある。
【０００５】
そこで、取っ手を原稿処理部のフレームに設けることが考えられる。こうすることによって小型の画像形成装置がフロア上に直置きされているような場合でも、ほとんど腰を屈めることなく当該取っ手を介して画像形成装置をより容易に持ち運びすることができる。
【特許文献１】特開２００２−２９６８５７号公報
【発明の開示】
【発明が解決しようとする課題】
【０００６】
しかしながら、画像形成装置の原稿処理部には、光源から照射した光で原稿面を走査し、その反射光を複数のミラーを介してＣＣＤ（Ｃｈａｒｇｅ  Ｃｏｕｐｌｅｄ  Ｄｅｖｉｃｅ：撮像素子）へ入力するように構成された、光学的に原稿画像を読み取る画像読取装置が採用されている。この画像読取装置は、非常に繊細な精密機器であるため、原稿処理部のフレームに設けられた取っ手を介して画像形成装置を持ち運びする際に、当該フレームに僅かでも変形が生じると、この変形に起因して画像読取装置の構成機器が僅かに変位し、これによって反射光の光路に狂いが生じることから、正確な画像読取処理を行い得なくなるという不都合が生じる。
【０００７】
本発明は、従来のかかる不都合を解消するためになされたものであって、正確な画像読み取り処理を確保した上で装置本体を容易に持ち運びすることができる画像形成装置を提供することを目的としている。
【課題を解決するための手段】
【０００８】
請求項１記載の発明は、内部に画像形成処理を行う画像形成部が設けられる下部フレームと、この下部フレームの頂部に積み重ねられた状態で装着される中間フレームと、この中間フレームに支持された、原稿画像を光学的に読み取るための画像読取部が設けられてなる上部フレームとを有する装置本体が備えられ、前記中間フレームは、前記下部フレームに積み重ねられて固定される底板と、前記底板に配置され、上面に前記画像形成部でトナー画像が転写されて排出された転写材を受ける排出トレイと、前記底板から上方に向かって立設され、前記装置本体の側壁部位の一部を構成する一対の側部壁と前記一対の側部壁の後縁部間に架設された後部壁とからなり、前方位置に隙間が確保された状態で前記排出トレイを囲繞する囲い壁と、前記後部壁に開口され、前記画像形成部から排出された前記転写材を前記排出トレイに排出させる排紙口と、を有し、前記側部壁には、前記装置本体を持ち上げて運ぶための少なくとも一対の取っ手が設けられ、前記上部フレームは、前記囲い壁の前記一対の側部壁の上端部および前記後部壁の上端部によって支持されていることを特徴とする画像形成装置である。
【０００９】
かかる構成によれば、下部フレームより上部に位置し、かつ、上部フレームを支持し得る中間フレームの対向側面に、画像形成装置を持ち運びするための取っ手が設けられているため、画像読取部の変形を防止して正確な画像読み取り処理を確保しつつ当該取っ手を介して画像形成装置の持ち運びを容易に行うことが可能になる。また、中間フレームの上面に排出トレイを設けることによって、当該中間フレームの中央部が凹没した状態になるとともに、周縁部が上部フレームを支持するための支持部となり、これらの凹凸で中間フレームは構造的に丈夫になるため、かかる中間フレームに支持された上部フレームは、変形することが有効に防止される。
【００１０】
請求項２記載の発明は、請求項１記載の発明において、前記取っ手は、前記中間フレームの壁面の一部が凹没されることによって形成された凹部または同一部が穿設されることによって形成された開口によって形成されていることを特徴とするものである。
【００１１】
かかる構成によれば、取っ手は、壁面に設けられた凹部または開口によって形成され手いるため、外部に突出した取っ手に比べて邪魔になるようなことがない。また、取っ手は、装置本体に対し出没可能に構成された従来の取っ手のように複雑な構造のものではなく、低コストで形成される。
【００１２】
請求項３記載の発明は、請求項１または２記載の発明において、前記一対の側部壁の前縁部において、互いに対向方向へ寄るように配設された一対の門柱部を更に有することを特徴とするものである。
【００１３】
かかる構成によれば、画像形成装置は、前記一対の側部壁の前縁部において、互いに対向方向へ寄るように配設された一対の門柱部を更に有する。
【００１４】
請求項４記載の発明は、請求項１乃至３のいずれかに記載の発明において、前記中間フレームにおける前記取っ手が設けられた位置の近傍には、補強用のリブが設けられていることを特徴とするものである。
【００１５】
かかる構成によれば、中間フレームは、取っ手の近傍がリブによって構造的に補強された状態になるため、取っ手を介して手で画像形成装置を持ち上げたときの取っ手近傍での応力の集中に対抗し得るようになる。
【００１６】
請求項５記載の発明は、請求項１乃至４のいずれかに記載の発明において、前記中間フレームの対向側面は、前記装置本体の全高の半分よりも高い位置にあることを特徴とするものである。
【００１７】
かかる構成によれば、取っ手を介して装置本体を持ち上げた状態で、その重心が取っ手より下に位置するため、持ち上げた状態が安定する。
【発明の効果】
【００１８】
本発明に係る画像形成装置によれば、下部フレームより上部に位置し、かつ、上部フレームを均等に支持し得る中間フレームに、画像形成装置を持ち運びするための取っ手が設けられているため、ユーザーは、当該画像形成装置を移動させるに際し、一々腰を屈めて画像形成装置を持ち上げるような不便なことを行うことなく、画像形成装置を容易に持ち運びすることができるばかりか、これによって画像読取部が変形するような不都合の発生を防止することができ、画像形成装置を移動させた後でも正確な画像読み取り処理を確保することができる。
【発明を実施するための最良の形態】
【００１９】
図１は、本発明に係る画像形成装置１０の一実施形態を示す斜視図であり、図１（Ａ）は、原稿押さえ部材２２が閉じられた状態、図１（Ｂ）は、原稿押さえ部材２２が開かれた状態をそれぞれ示している。また、図２は、図１に示す画像形成装置１０の断面図であり、図２（Ａ）は、図１（Ａ）のＩＩＡ−ＩＩＡ線断面図、図２（Ｂ）は、図１（Ａ）のＩＩＢ−ＩＩＢ線断面図である。また、図３は、画像形成装置１０の装置本体１１の一実施形態を示す分解斜視図であり、図４は、画像形成装置１０を持ち上げる状態を説明するための画像形成装置１０の一部切り欠き正面図である。なお、図１〜図４において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００２０】
これらの図に示すように、画像形成装置１０は、原稿に形成された画像を読み取る原稿読取部２０と、この原稿読取部２０の下方に設けられた画像形成部３０と、前記原稿読取部２０の前方位置から前方に向かって突設された部分に設けられた操作部４０と、画像形成部３０により画像形成処理が施されることによって印刷された用紙Ｐが排紙される排紙部５０とが筐体である装置本体１１に装着されることによって基本構成されている。
【００２１】
装置本体１１は、図３に示すように、各種のフレームからなる本体フレーム１２と、この本体フレーム１２の外面を覆う複数枚の化粧板１５とを備えている。
【００２２】
本体フレーム１２は、原稿読取部２０および操作部４０が装着される扁平な直方体状を呈した上部フレーム１３と、画像形成部３０が装着される下部フレーム１４と、これら上部フレーム１３および下部フレーム１４間に介設される排紙部５０を形成させるための中間フレーム６０とからなっている。 
【００２３】
化粧板１５は、下部フレーム１４の前面を覆う前面枠板１６と、下部フレーム１４および中間フレーム６０の左右両側面を覆う左右方向一対の側面板１７と、下部フレーム１４の後面（背面）を覆う背面板１８とからなっている。装置本体１１は、これら前面枠板１６、側面板１７および背面板１８が下部フレーム１４に装着されることにより外嵌視が美麗になる。
【００２４】
前記原稿読取部２０は、上部フレーム１３の天板の中央部に矩形状で大きく場所取りされた上面開口１３１に嵌め込まれるコンタクトガラス２１と、このコンタクトガラス２１に載置された原稿Ｐ１を押さえるべく開閉される原稿押さえ部材２２と、上部フレーム１３に内装され、コンタクトガラス２１上に載置された原稿Ｐ１の原稿面から原稿画像を光学的に読み取る光学系ユニット２３とを備えている。
【００２５】
前記原稿押さえ部材２２は、その後縁部が左右方向一対の蝶番部材１３２を介して上部フレーム１３の後縁部上面に連結され、各蝶番軸１３２回りに正逆回動操作することにより、コンタクトガラス２１を塞いだ閉止姿勢（図１（Ａ））と、コンタクトガラス２１を開放した開放姿勢（図１（Ｂ））との間で姿勢変更することができる。
【００２６】
そして、原稿Ｐ１の原稿画像を読み取るときは、原稿押さえ部材２２を開いた状態で原稿面が密着するようにコンタクトガラス２１上に当該原稿Ｐ１を載置し、その後、原稿押さえ部材２２が閉じられた状態で光学系ユニット２３により原稿画像が読み取られる。
【００２７】
以下、図２（Ａ）を基に光学系ユニット２３について説明する。光学系ユニット２３は、いわゆるＣＣＤ（ｃｈａｒｇｅ  ｃｏｕｐｌｅｄ  ｄｅｖｉｃｅ）移動タイプと称されるものである。かかる光学系ユニット２３は、左右方向へ移動する移動枠体２３０と、この移動枠体２３０に内装された照射ランプ２３１と、この照射ランプ２３１から照射された光の原稿面からの反射光をさらに反射させる複数枚の反射ミラー２３２と、これら反射ミラー２３２からの反射光を集光して焦点距離を調節するレンズユニット２３４と、このレンズユニット２３４から入光された光による画像情報を電気信号に変換するＣＣＤイメージセンサ２３５とを備えている。
【００２８】
照射ランプ２３１は、移動枠体２３０内の左右方向の中央位置より若干右寄りの位置の上部に設けられている。
【００２９】
反射ミラー２３２は、移動枠体２３０内の右半分の位置に設けられている。かかる反射ミラー２３２は、照射ランプ２３１が照射した光の原稿Ｐ１からの反射光を最初に受けて反射する第１ミラー２３２ａと、この第１ミラー２３２ａの反射光を受けて反射する第２ミラー２３２ｂと、この第２ミラー２３２ｂからの反射光をさらに反射させてレンズユニット２３４へ入光させる第３ミラー２３２ｃとの３枚が採用されている。第３ミラー２３２ｃは、特に凹面鏡によって形成され、その焦点位置にレンズユニット２３４が位置するように設置位置が設定されている。
【００３０】
前記レンズユニット２３４は、移動枠体２３０の略中央位置に設けられているとともに、前記ＣＣＤイメージセンサ２３５は、移動枠体２３０内におけるレンズユニット２３４の直ぐ左側に設けられ、レンズユニット２３４で集光された光は、そのままＣＣＤイメージセンサ２３５に向けて出力される。そして、レンズユニット２３４からの光が入光されたＣＣＤイメージセンサ２３５は、当該光をその強弱に応じたアナログ量の電気信号に変換した後に引き続きデジタル量に変換し、所定の記憶装置を介して画像形成部３０の後述する露光装置３１３へ向けて出力する。
【００３１】
かかる光学系ユニット２３において、移動枠体２３０を移動させるための移動機構２４が設けられている。この移動機構２４は、上部フレーム１３内の右端部の底板１３３上に据え付けられた駆動モータ２４１と、この駆動モータ２４１の駆動力が減速状態で伝達されるギヤ機構２４２と、このギヤ機構２４２を介して前記駆動モータ２４１の駆動力が伝達される駆動プーリ２４３と、底板１３３の左端位置で駆動プーリ２４３と対向配置された従動プーリ２４４と、この従動プーリ２４４および前記駆動プーリ２４３間に張設されたスキャナベルト２４５とを備えている。そして、前記スキャナベルト２４５の一部が光学系ユニット２３の移動枠体２３０の適所に固定されている。
【００３２】
かかる移動機構２４によれば、駆動モータ２４１を正逆駆動させることにより、この駆動がギヤ機構２４２を介して減速状態で駆動プーリ２４３に伝達され、これによるスキャナベルト２４５の駆動プーリ２４３および従動プーリ２４４間の周回によって当該スキャナベルト２４５に固定された光学系ユニット２３が正逆移動することになる。
【００３３】
従って、コンタクトガラス２１上に載置された原稿Ｐ１の原稿面を読み取るときは、駆動モータ２４１の駆動によるスキャナベルト２４５の周回で移動枠体２３０が上部フレーム１３内の左端部（ホームポジション）からの右方に向けて移動する。この移動によってされつつ、照射ランプ２３１からの光でコンタクトガラス２１上の原稿Ｐ１の画像が走査され、当該走査による反射光がＣＣＤイメージセンサ２３５に入力されて原稿画像が読み取られる。
【００３４】
ついで、図２（Ｂ）を基に画像形成部３０の概要を説明する。前記画像形成部３０は、原稿読取部２０で読み取られた原稿画像を用紙Ｐにトナー画像として転写する転写部３１と、この転写部３１で用紙Ｐへ転写されたトナー画像の当該用紙Ｐへの定着処理を施す定着部３２と、前記転写部３１に向けて給紙する用紙Ｐを貯留する用紙貯留部３３とが箱形を呈した前記下部フレーム１４に内装されることによって構成されている。
【００３５】
前記転写部３１は、周面に静電潜像およびトナー画像が順次形成される感光体ドラム３１１と、この感光体ドラム３１１の周面に一様な帯電処理を施す帯電器３１２と、この帯電器３１２によって一様に帯電された感光体ドラム３１１の周面にレーザー光を照射して当該周面に静電潜像を形成させる露光装置３１３と、この露光装置３１３によって形成された感光体ドラム３１１の周面の静電潜像にトナーを供給してトナー像を形成させる現像装置３１４とを備えている。
【００３６】
そして、軸心回りに回転しつつ帯電器３１２により一様に帯電された感光体ドラム３１１の周面には、前記光学系ユニット２３での走査によって読み取られ、記憶装置に記憶されている原稿の画像情報に基づくレーザー光が露光装置３１３から照射され、これによって感光体ドラム３１１の周面に静電潜像が順次形成されるとともに、走査光照射位置の下流側で静電画像に現像装置３１４からトナーが供給されることにより感光体ドラム３１１の周面にトナー画像が形成される。この感光体ドラム３１１周面のトナー画像がレジストローラ対３１５を介して給紙された用紙Ｐに転写される。
【００３７】
前記定着部３２は、転写部３１で感光体ドラム３１１によりトナー画像の転写された用紙Ｐの転写画像に対し定着処理を施すものである。かかる定着部３２は、内部にハロゲンランプ等の通電発熱体が内装された定着ローラ３２１と、下部でこの定着ローラ３２１に対向配置された加圧ローラ３２２とを有している。
【００３８】
そして、前記転写部３１から感光体ドラム３１１の駆動回転により搬送された用紙Ｐは、定着ローラ３２１および加圧ローラ３２２間に給紙され、ここでの定着ローラ３２１からの伝熱による加熱処理でトナー画像が用紙Ｐに定着される。定着部３２を通過した用紙Ｐは、最下流端に設けられた搬出路３４を通り、排紙口３５から排紙部５０へ向けて排紙されることになる。
【００３９】
前記用紙貯留部３３は、下部フレーム１４に対して挿脱自在に装着された用紙カセット３３１と、この用紙カセット３３１の一方の端部（図２（Ｂ）に示す例では前端部）に対応して設けられたピックアップローラ３３２とを備えている。このピックアップローラ３３２の駆動回転で用紙カセット３３１に装填されている用紙Ｐの束の最上位のものが順次繰り出され、転写部３１に向けて給紙される。
【００４０】
そして、ピックアップローラ３３２を介して用紙カセット３３１から繰り出された用紙Ｐは、レジストローラ対３１５を介して搬送されつつ、感光体ドラム３１１の周面のトナー画像が転写され、引き続き定着部３２で定着ローラ３２１による熱定着処理が施された後、搬出路３４を通って排紙口３５から排紙部５０の排紙トレイ５１に排紙される。
【００４１】
また、下部フレーム１４の前面位置には用紙手差し部３６が設けられている。この用紙手差し部３６は、開閉可能な手差しトレイ３６１と、開放状態の手差しトレイ３６１に載置された用紙Ｐを取り込んで転写部３１へ向けて給紙するピックアップローラ３６２とを有している。
【００４２】
前記操作部４０は、図１に示すように、上部フレーム１３の前縁部分が前方に向かって突設されることにより形成された操作部用筐体４１と、この操作部用筐体４１の上面に形成された操作パネル４２とを備えている。操作パネル４２には、スタートボタン４３や、各種の操作ボタン４４さらには各種の画像形成用の情報を画面表示するＬＣＤ（Ｌｉｑｕｉｄ  ｃｒｙｓｔａｌ  ｄｉｓｐｌａｙ）からなるディスプレー４５等の操作用の部材が設けられ、これらの操作用部材を操作したり視認したりすることによって具体的な画像形成処理が実行される。
【００４３】
そして、本発明では、例えば上述のように構成された画像形成装置１０において、取っ手６４が中間フレーム６０に設けられることにより、原稿読取部２０による正確な画像読み取り処理を確保しながら、画像形成装置１０の持ち運びを容易に行うことができるようにしている。
【００４４】
以下、中間フレーム６０について図３を基に説明する、中間フレーム６０は、図３に示すように、下部フレーム１４に積み重ねられて固定される平面視で矩形状を呈した環状底板６１と、この環状底板６１の中央部に形成された胴内排紙トレイ（排出トレイ）６２と、前記環状底板６１の左右の板部（側方板部６１１）および胴内排紙トレイ６２を囲うべく後方縁部６１２から立設された平面視でＣ字状を呈する囲い壁６３と、この囲い壁６３に設けられた左右一対の取っ手６４とを備えている。
【００４５】
胴内排紙トレイ６２は、環状底板６１の前縁部６１３から後方に向かって上に凸の円弧状で先下がりに形成されている。かかる胴内排紙トレイ６２の左右の縁部と各側方板部６１１との間には、細長い三角形状の三角側壁６２１がそれぞれ設けられているとともに、胴内排紙トレイ６２の後部と環状底板６１の後方縁部６１２上の前方位置との間には、後部壁６１４が架設されている。この後部壁６１４の上下方向の略中央部には、左右方向に延びた、用紙Ｐを胴内排紙トレイ６２上へ排出するための排紙口３５が設けられている。
【００４６】
前記囲い壁６３は、前方位置に左右方向に延びた広い隙間が確保された状態で胴内排紙トレイ６２を囲繞するとともに、前記上部フレーム１３を支持するためのものである。かかる囲い壁６３は、前記左右の側方板部６１１の互いに離間した縁部から立設された前後方向へ延びる左右一対の側部壁６３１と、前記後方縁部６１２に支持された状態で各側部壁６３１の後縁部間に架設された後部壁６３２とからなっている。前記側部壁６３１は、装置本体１１の側壁部位の一部を構成する一対の対向側面を有するものである。
【００４７】
前記各側部壁６３１の前縁部には、互いに対向方向へ寄った状態の門柱部６３３がそれぞれ設けられている。そして、一方の門柱部６３３の上端面、一方の側部壁６３１の上縁部、後部壁６３２の上縁部および他方の側部壁６３１の上縁部および他方の門柱部６３３の上端面に平面視でＣ字状を呈する額縁条６３４が重ねられて固定されている。前記上部フレーム１３は、かかる額縁条６３４に支持される。
【００４８】
また、左右の側方板部６１１には、押し起こしによって上方へ突出した前後方向に延びる複数本のリブ６１１ａが形成されているとともに、側方板部６１１と額縁条６３４との間の適所には、前後方向一対の筋交い板６１１ｂが設けられている。これらリブ６１１ａおよび筋交い板６１１ｂの存在によって囲い壁６３の側方板部６１１および額縁条６３４が構造的に丈夫になっている。
【００４９】
前記取っ手６４は、左右の側部壁６３１の各中央部が前後方向に長尺の矩形状に切り抜かれることによって形成されている。かかる取っ手６４は、前後長が通常の大人の人差し指と小指との間の外寸法より若干長めに設定されている。従って、各取っ手６４に親指を除く４本の指をそれぞれ差し入れることによって中間フレーム６０を容易に持ち上げることができる。
【００５０】
一方、前記各側面板１７には、取っ手６４に対応した位置にそれぞれ当該取っ手６４と同一寸法の指差し入れ開口１７１が外方から内方へ向かった切り起こしで設けられている。かかる切り起こしによって各指差し入れ開口１７１の上縁部には、互いに対向方向に向けて突出した切り起こし片１７２がそれぞれ形成されている。かかる切り起こし片１７２は、取っ手６４の上縁部に到達し得るように左右幅寸法が設定されている。
【００５１】
従って、画像形成装置１０が組み付けられた状態では、図４に示すように、切り起こし片１７２が取っ手６４の開口の上縁部を下から覆った状態になるため、指先を取っ手６４に差し入れた状態で、当該指先が切り起こし片１７２の平らな面に当たることになり、これによって指先が保護された状態で画像形成装置１０を持ち上げることができる。
【００５２】
以上詳述したように、本実施形態に係る画像形成装置１０は、内部に画像形成処理を行う画像形成部３０が設けられる下部フレーム１４と、この下部フレーム１４の頂部に装着される中間フレーム６０と、この中間フレーム６０に支持され、かつ、画像読み取り用の原稿読取部２０が設けられる上部フレーム１３とを有する装置本体１１が備えてなるものである。そして、中間フレーム６０は、上部フレーム１３を均等に支持し得るように構造設定され、中間フレーム６０には、その対向側面に装置本体１１を持ち上げて運ぶための一対の取っ手６４が設けられている。
【００５３】
かかる構成の画像形成装置１０によれば、ユーザーは、当該画像形成装置１０を移動させるに際し、一々腰を屈めて画像形成装置１０を持ち上げるような不便なことを行うことなく、中間フレーム６０に設けられた取っ手６４を介して画像形成装置１０を容易に持ち運びすることができるばかりか、中間フレーム６０が上部フレーム１３を安定した状態で支持することによって原稿読取部２０が変形するような不都合の発生を防止することができ、画像形成装置１０を持ち運びした後であっても正確な画像読み取り処理を確保することができる。
【００５４】
そして、中間フレーム６０には、その上面に画像形成部３０でトナー画像が転写されて排出された用紙Ｐを受ける胴内排紙トレイ６２が設けられているため、当該中間フレーム６０の中央部が凹没した状態になるとともに、周縁部が上部フレーム１３を支持するための支持部となり、これらの凹凸で中間フレーム６０は構造的に丈夫なものにすることができ、中間フレーム６０に支持された上部フレーム１３が変形することを有効に防止することができる。
【００５５】
また、中間フレーム６０における取っ手６４が設けられた位置の近傍（具体的には側方板部６１１）には、補強用のリブ６１１ａが設けられているため、取っ手６４を介し手で画像形成装置１０を持ち上げたときの取っ手６４近傍での応力の集中に対抗し得るようになる。
【００５６】
本発明は、上記の実施形態に限定されるものではなく、以下の内容をも包含するものである。
【００５７】
（１）上記の実施形態においては、画像形成装置１０として複写機を例に挙げて説明したが、複写機の機能に加え、プリンタやファクシミリ装置の機能をも兼ね備えた、いわゆる複合機であってもよい。
【００５８】
（２）上記の実施形態においては、画像形成装置１０としてモノクロ印刷用のものを例に挙げて説明したが、モノクロ印刷用のものに代えてカラー印刷用の物であってもよい。
【００５９】
（３）上記の実施形態においては、本発明にかかる排出トレイとして胴内排紙トレイ６２が採用されているが、胴内排紙トレイ６２に変えて装置本体１１から外部に突設された胴外排紙トレイであってもよい。
【００６０】
（４）上記の実施形態において、原稿押さえ部材２２の上部に原稿載置トレイと、当該原稿載置トレイ上に載置された原稿束から１枚ずつの原稿をコンタクトガラス２１へ向けて繰り出させる自動原稿送り機構とを有する、原稿自動読み取り装置を設けてもよい。
【００６１】
（５）上記の実施形態においては、取っ手６４として中間フレーム６０の側部壁６３１に穿設された開口が採用されているが、開口に代えて凹部であってもよい。
【００６２】
（６）上記の実施形態において、取っ手６４を二対設けてもよい。こうすることによってそれぞれが各一対の取っ手６４を利用して二人で画像形成装置１０を持ち運びすることができる。
【図面の簡単な説明】
【００６３】
【図１】本発明に係る画像形成装置の一実施形態を示す斜視図であり、（Ａ）は、原稿押さえ部材が閉じられた状態、（Ｂ）は、原稿押さえ部材が開かれた状態をそれぞれ示している。
【図２】図１に示す画像形成装置の断面図であり、（Ａ）は、図１（Ａ）のＩＩＡ−ＩＩＡ線断面図、（Ｂ）は、図１（Ａ）のＩＩＢ−ＩＩＢ線断面図である。
【図３】画像形成装置の装置本体の一実施形態を示す分解斜視図である。
【図４】画像形成装置を持ち上げる状態を説明するための画像形成装置の一部切り欠き正面図である。
【符号の説明】
【００６４】
１０  画像形成装置            １１  装置本体
１２  本体フレーム            １３  上部フレーム
１３１  上面開口              １３２  蝶番部材
１３３  底板                  １４  下部フレーム
１５  化粧板                  １６  前面枠板
１７  側面板                  １７１  指差し入れ開口
１７２  切り起こし片          １８  背面板
２０  原稿読取部              ２１  コンタクトガラス
２２  原稿押さえ部材          ２３  光学系ユニット
２３０  移動枠体              ２３１  照射ランプ
２３２  反射ミラー            ２３２ａ  ミラー
２３２ｂ  ミラー              ２３２ｃ  ミラー
２３４  レンズユニット        ２４  移動機構
２４１  駆動モータ            ２４２  ギヤ機構
２４３  駆動プーリ            ２４４  従動プーリ
２４５  スキャナベルト        ３０  画像形成部
３１  転写部                  ３１１  感光体ドラム
３１２  帯電器                ３１３  露光装置
３１４  現像装置              ３１５  レジストローラ対
３２  定着部                  ３２１  定着ローラ
３２２  加圧ローラ            ３３  用紙貯留部
３３１  用紙カセット          ３３２  ピックアップローラ
３４  搬出路                  ３５  排紙口
３６  用紙手差し部            ３６１  手差しトレイ
３６２  ピックアップローラ    ４０  操作部
４１  操作部用筐体            ４２  操作パネル
４３  スタートボタン          ４４  操作ボタン
４５  ディスプレー            ５０  排紙部
５１  排紙トレイ              ６０  中間フレーム
６１  環状底板                ６１１  側方板部
６１１ａ  リブ                ６１１ｂ  筋交い板
６１２  後方縁部              ６１３  前縁部
６１４  後部壁                ６２  胴内排紙トレイ（排出トレイ）
６２１  三角側壁              ６３  囲い壁
６３１  側部壁（対向側面）    ６３２  後部壁
６３３  門柱部                ６３４  額縁条
６４  取っ手                  Ｐ  用紙
Ｐ１  原稿
【図１】
0005058863.tif 000002
【図２】
0005058863.tif 000003
【図３】
0005058863.tif 000004
【図４】
0005058863.tif 000005